(57)【要約】【課題】作業者が通線ロッドの呼び線を直接掴んで取り出ないような狭小なスペ−スにおいても、呼び線を取り出すことが可能な通線用カメラヘッドを取付けるカメラアダプタ−及びカメラアダプタ−への接続金具の提供【解決手段】カメラアダプタ−は、カメラヘッドの幅に合わせて、配置した左右のヒレ体１の先端部に、二股状の連結金具２の基部３を固定し、左右のヒレ体１を連結している。また、カメラアダプタ−への接続金具は、円柱体４の前半分の部分に貫通孔５を設け、後半分の部分に、通線ロッドねじ込み用のねじ穴６と穴７を穿設し、貫通孔５の両側壁に切欠部８を設け、切欠部８の先端部に先広がりのテ−パａを設け、先端部に内側に湾曲した鈎状の爪９を設けた二本の把持片１０を爪９が対向するように併設し、把持片１０の基部を軸１１に回動可能に軸支するとともに、爪９が、常に、噛み合うように、二本の把持片１０の基部をばね力によって付勢している。【選択図】 図１
2005278310.tif 000002
【特許請求の範囲】
【請求項１】
通線ロッドの先端部に装着したカメラヘッドを取り付けるアダプタ−であって、カメラヘッドの幅に合わせて、離隔して配置した左右のヒレ体（１，１）の先端部に、中央部が略台形状に上方へ突出した二股状の連結金具（２）の基部（３，３）を固定し、前記左右のヒレ体（１，１）を連結したことを特徴とするカメラアダプタ−
【請求項２】
両端部に丸味を付けた円柱体（４）の前半分の部分に短冊状の貫通孔（５）を設け、後半分の部分に、前記円柱体（４）の中心軸方向に通線ロッドねじ込み用のねじ穴（６）を刻設し、該ねじ穴（６）に連通して前記通線ロッド挿通用の穴（７）を穿設し、前記貫通孔（５）の両側壁の中央前部に切欠部（８）を設け、該切欠部（８）の先端部に先広がりのテ−パ（ａ）を設け、先端部に内側に湾曲した鈎状の爪（９，９）を設けた二本の把持片（１０，１０）を前記爪（９，９）が対向するように併設し、該把持片（１０，１０）の基部を前記貫通孔（５）後部の両側壁に差し渡した軸（１１）に回動可能に軸支するとともに、前記爪（９，９）が、常に、噛み合うように、前記二本の把持片（１０，１０）の基部をばね力によって付勢していることを特徴とするカメラアダプタ−への接続金具
【発明の詳細な説明】
【技術分野】
【０００１】
本発明は、カメラアダプタ−及びカメラアダプタ−への接続金具に関するものである。
【背景技術】
【０００２】
既設の電線管の中に、新たな電線・ケ−ブル類を通線する場合には、例えば、一方のマンホ−ルから、先端部にカメラを装着したＦＲＰ製の通線ロッドを、カメラによって、電線管の隙間を探しながら、押し進めていき、他方のマンホ−ルに進出してきた通線ロッドをマンホ−ルから引き出し、通線ロッドに添えていた呼び線に新たな電線・ケ−ブル類を接続したのち、通線ロッドと呼び線を引き戻すという工法によって行われている。
【０００３】
前記工法は、通線ロッドの呼び線を作業者が直接掴んで取り出せる程度のスペ−スが必要であり、このようなスペ−スが確保できない作業環境では、呼び線を引き出すことができないという問題点があった。
【特許文献１】特開平１０−７０８０７号公報
【特許文献２】特開平１０−３４１６３７号公報
【発明の開示】
【発明が解決しようとする課題】
【０００４】
この発明は、背景技術で記述した問題点を解消するためになされたもので、作業者が通線ロッドの呼び線を直接掴んで取り出ないような狭小なスペ−スにおいても、呼び線を取り出すことが可能な通線用カメラヘッドを取付けるカメラアダプタ−及びカメラアダプタ−への接続金具の提供を目的とするものである。
【課題を解決するための手段】
【０００５】
この発明のカメラアダプタ−は、通線ロッドの先端部に装着したカメラヘッドを取り付けるアダプタ−であって、カメラヘッドの幅に合わせて、離隔して配置した左右のヒレ体の先端部に、中央部が略台形状に上方へ突出した二股状の連結金具の基部を固定し、前記左右のヒレ体を連結したことを特徴とするものである。
【０００６】
この発明のカメラアダプタ−への接続金具は、両端部に丸味を付けた所定長さの円柱体の前半分の部分に短冊状の貫通孔を設け、後半分の部分に、前記円柱体の中心軸方向に通線ロッドねじ込み用のねじ穴を刻設し、該ねじ穴に連通して前記通線ロッド挿通用の穴を穿設し、前記貫通孔の両側壁の中央前部に切欠部を設け、該切欠部の先端部に先広がりのテ−パを設け、先端部に内側に湾曲した鈎状の爪を設けた二本の把持片を前記爪が対向するように併設し、該把持片の基部を前記貫通孔後部の両側壁に差し渡した軸に回動可能に軸支するとともに、前記爪が、常に、噛み合うように、前記二本の把持片の基部をばね力によって付勢していることを特徴とするものである。
【発明の効果】
【０００７】
この発明は上述のように構成されているので、次のような効果を奏する。
（１）左右のヒレ体を、中央部が略台形状に上方へ突出した二股状の連結金具で連結した構造であるので、連結金具を接続金具に連結させることが容易である。
（２）カメラアダプタ−への接続金具の二本の把持片の先端部の内側に湾曲した鈎状の爪はばね力によって互いに噛み合うようになっているので、挟み込んだカメラアダプタ−の連結金具を確実に把持できる。
（３）カメラアダプタ−への接続金具の切欠部の先端部に先広がりのテ−パを設けているので、カメラアダプタ−の連結金具を切欠部に呼び込み易い。
（４）ＦＲＰ製通線ロッドをねじ穴にねじ込むという簡単な操作で、ＦＲＰ製通線ロッドをカメラアダプタ−への接続金具に装着できる。
【発明を実施するための最良の形態】
【０００８】
作業者が通線ロッドの呼び線を直接掴んで取り出ないような狭小なスペ−スにおいても、呼び線を取り出すことが可能なカメラアダプタ−及びカメラアダプタ−への接続金具の提供という目的を、中央部が略台形状に上方へ突出した二股状の連結金具と、先端部に設けた爪が対向するように併設され、常時噛み合うように付勢された二本の把持片の採用により実現できた。
【実施例】
【０００９】
本発明のカメラアダプタ−の実施の一例を図面を参照しながら説明する。通線ロッドの先端部に装着したカメラヘッドを取り付けるアダプタ−であって、図１に示すように、カメラヘッドの幅に合わせて、離隔して配置した左右のヒレ体１，１の先端部に、図２に示すように、中央部が略台形状に上方へ突出した二股状の連結金具２の基部３，３を固定し、左右のヒレ体１，１を、図３に示すように、連結している。
【００１０】
図１において、点線で示しているのは、カメラヘッドＣと通線ロッドＲである。
ヒレ体１，１は、ポリアミド樹脂等の硬質樹脂からなり、図１から分かるように、魚のエイのヒレような形状に仕上げている。この形状は、電線管中の狭い不規則な空隙を進行していくのに適している。なお、図１に示した形状は一例であって、この形状に限定されるものではなく、両脇部がヒレ状に薄くなっている形状のものは全て適用できる。
【００１１】
次に本発明のカメラアダプタ−への接続金具実施の一例を図面を参照しながら説明する。
図４〜図６に示すように、両端部に丸味を付けた円柱体４の前半分の部分に短冊状の貫通孔５を設け、後半分の部分に、円柱体４の中心軸方向に通線ロッドねじ込み用のねじ穴６を刻設し、ねじ穴６に連通して通線ロッド挿通用の穴７を穿設している。
【００１２】
貫通孔５の両側壁の中央前部に切欠部８を設け、切欠部８の先端部に先広がりのテ−パａを設けている。したがって、図４〜図５に示すように、円柱体４の貫通孔５の前部が連通し、大きく口を開いたような形状になっているので、カメラアダプタ−の連結金具２を切欠部８に呼び込み易い。
【００１３】
先端部に内側に湾曲した鈎状の爪９，９を設けた二本の把持片１０，１０を爪９，９が対向するように併設し、把持片１０，１０の基部を貫通孔５後部の両側壁に差し渡した軸１１に回動可能に軸支している。
【００１４】
二本の把持片１０，１０の基部をばねｂのばね力によって付勢し、常時、爪９，９が、噛み合うように、している。したがって、カメラアダプタ−の二股状の連結金具２を、ばねｂのばね力に抗して、内側に湾曲した鈎状の爪９，９を通過させると、連結金具２は確実に爪９，９によって捕捉され離脱することはできない。
【００１５】
実施に際しては、通線ロッドによって所定の狭小スペ−スまで押し込まれた本願のカメラアダプタ−の二股状の連結金具２を、通線ロッドを装着した本願のカメラアダプタ−への接続金具を狭小スペ−スに差し込み、モニタに映し出されたカメラアダプタ−の二股状の連結金具２の位置を確認しながら、二股状の連結金具２を内側に湾曲した鈎状の爪９，９に押し込み、本願のカメラアダプタを本願のカメラアダプタ−への接続金具に接続させ、前記カメラアダプタ−を狭小スペ−スから引き出すことにより、通線ロッドに取付けている呼び線を取り出すのである。その後は、例えば、呼び線に新規ケ−ブルを接続して、狭小スペ−スから中に引き込むのである。
【産業上の利用可能性】
【００１６】
狭小スペ−スから呼び線を引き出し、該呼び線に電線・ケ−ブル類を接続し、前記狭小なスペ−スから電線・ケ−ブル類を電線管路等に引き込む作業において、狭小なスペ−ス部で、呼び線を捕捉し引き出すための部材として利用できる。
【図面の簡単な説明】
【００１７】
【図１】カメラアダプタ−のヒレの斜視図
【図２】二股状の連結金具の斜視図
【図３】本発明の実施の一例を示すカメラアダプタ−の斜視図
【図４】接続金具の側面図
【図５】図４における縦断面図
【図６】接続金具の平面図
【符号の説明】
【００１８】
１ ヒレ
２ 二股状の連結金具
３ 二股状の連結金具の基部
４ 円柱体
５ 短冊状の貫通孔
６ 通線ロッドねじ込み用のねじ穴
７ 通線ロッド挿通用の穴
８ 切欠部
９ 内側に湾曲した鈎状の爪
１０ 把持片
１１ 軸
ａ テ−パ
ｂ ばね
Ｃ カメラ
Ｒ 通線ロッド
【図１】
2005278310.tif 000003
【図２】
2005278310.tif 000004
【図３】
2005278310.tif 000005
【図４】
2005278310.tif 000006
【図５】
2005278310.tif 000007
【図６】
2005278310.tif 000008